(57)【要約】【課題】複数のレコーダや記憶媒体にそれぞれ記録されている各コンテンツ同士を組み合わせて仮想的なコンテンツを作成して、解像度や伝送速度などの仕様が異なる携帯電話、携帯端末のモニタなどで再生する。【解決手段】アクセス装置３００がサーバ装置２００により送信されたコンテンツ管理情報に基づいて記憶再生装置１００、１１０により記憶されている複数のコンテンツを編集した仮想コンテンツを作成し、仮想コンテンツを構成する各コンテンツの識別子、再生順及び再生区間を含む編集情報をサーバ装置に送信し、サーバ装置が編集情報に基づいて記憶再生装置に対してコンテンツを再生して提示装置４００に送信するように要求し、記憶再生装置がサーバ装置からの要求に基づいてコンテンツを再生して提示装置に送信する場合に、送信コンテンツを提示装置の仕様に合うように変換して送信する。【選択図】図１
2008258678.tif 000002
【特許請求の範囲】
【請求項１】
記憶されているビデオコンテンツを再生する複数のコンテンツ再生装置と、前記複数のコンテンツ再生装置に記憶されている各前記ビデオコンテンツの再生区間及び再生順序を編集するコンテンツアクセス装置と、前記各ビデオコンテンツの再生制御情報を生成するコンテンツサーバ装置と、前記各ビデオコンテンツを変換した変換ビデオコンテンツを生成するコンテンツ伝送制御装置とがネットワークを介して接続されるコンテンツ伝送制御システムであって、
前記コンテンツサーバ装置は、
前記複数のコンテンツ再生装置の各々から送信される、前記複数のコンテンツ再生装置の各々が記憶している前記ビデオコンテンツの識別子及び再生時間情報を含むコンテンツ管理情報を受信し記憶する手段と、
記憶した前記コンテンツ管理情報を前記コンテンツアクセス装置へ送信する手段と、
前記コンテンツアクセス装置が前記コンテンツ管理情報に基づいて作成し送信した編集情報を受信する手段と、
受信した前記編集情報に基づいて、前記複数のコンテンツ再生装置が各々記憶している各ビデオコンテンツを順次再生させるための前記再生制御情報を生成する手段と、
生成した前記再生制御情報を、前記各コンテンツ再生装置に送信する手段とを、
備える装置であり、
前記コンテンツアクセス装置は、
前記コンテンツサーバ装置から送信される前記コンテンツ管理情報に基づいて、前記複数のコンテンツ再生装置の各々に記憶されている前記各ビデオコンテンツの識別子、再生区間及び再生順序を含む前記編集情報を生成する手段と、
生成した前記編集情報を前記コンテンツサーバ装置に送信する手段とを、
備える装置であり、
前記コンテンツ再生装置は、
前記コンテンツ管理情報を前記コンテンツサーバ装置へ送信する手段と、
前記コンテンツサーバ装置から前記再生制御情報を受信する手段と、
受信した前記再生制御情報に基づいて、本装置が記憶しているビデオコンテンツを再生する手段と、
再生した前記ビデオコンテンツを前記コンテンツ伝送制御装置に送信する手段とを、
備える装置であり、
前記コンテンツ伝送制御装置は、
前記ビデオコンテンツを提示するためのコンテンツ提示装置から、このコンテンツ提示装置が有するビデオコンテンツの伝送速度及び表示解像度を含むスペック情報を受信する手段と、
前記コンテンツ再生装置から送信された前記ビデオコンテンツを受信する手段と、
受信した前記ビデオコンテンツを前記スペック情報に基づいて変換した変換ビデオコンテンツを生成する手段と、
生成した前記変換ビデオコンテンツを前記コンテンツ提示装置に送信する手段とを、
備える装置である、
ことを特徴とするコンテンツ伝送制御システム。
【請求項２】
記憶されているビデオコンテンツを再生する複数のコンテンツ再生装置と、前記複数のコンテンツ再生装置に記憶されている各前記ビデオコンテンツの再生区間及び再生順序を編集するコンテンツアクセス装置と、前記各ビデオコンテンツの再生制御情報を生成するコンテンツサーバ装置とにネットワークを介して接続されるコンテンツ伝送制御装置であって、
前記ビデオコンテンツを提示するためのコンテンツ提示装置から、このコンテンツ提示装置が有するコンテンツデータの伝送速度及び表示解像度を含むスペック情報を受信する手段と、
前記コンテンツ再生装置から送信された前記ビデオコンテンツを受信する手段と、
受信した前記ビデオコンテンツを前記スペック情報に基づいて変換した変換ビデオコンテンツを生成する手段と、
生成した前記変換ビデオコンテンツを前記コンテンツ提示装置に送信する手段とを、
備えることを特徴とするコンテンツ伝送制御装置。
【請求項３】
外部装置に記憶されている各ビデオコンテンツの再生区間及び再生順序を編集するコンテンツアクセス装置と、前記各ビデオコンテンツの再生制御情報を生成するコンテンツサーバ装置とにネットワークを介して接続され、記憶されているビデオコンテンツを再生するコンテンツ再生装置であって、
前記コンテンツサーバ装置から前記再生制御情報を受信する手段と、
受信した前記再生制御情報に基づいて、本装置が記憶しているビデオコンテンツを再生する手段と、
前記ビデオコンテンツを提示するためのコンテンツ提示装置から、このコンテンツ提示装置が有するコンテンツデータの伝送速度及び表示解像度を含むスペック情報を受信する手段と、
再生した前記ビデオコンテンツを前記スペック情報に基づいて変換した変換ビデオコンテンツを生成する手段と、
生成した前記変換ビデオコンテンツを前記コンテンツ提示装置に送信する手段とを、
備えることを特徴とするコンテンツ再生装置。
【請求項４】
記憶されているビデオコンテンツを再生する複数のコンテンツ再生装置と、前記複数のコンテンツ再生装置に記憶されている各前記ビデオコンテンツの再生区間及び再生順序を編集するコンテンツアクセス装置と、前記各ビデオコンテンツの再生制御情報を生成するコンテンツサーバ装置とにネットワークを介して接続されるコンテンツ提示装置であって、
前記コンテンツ再生装置から送信された前記ビデオコンテンツを受信する手段と、
受信した前記ビデオコンテンツを、本装置が有するビデオコンテンツの伝送速度及び表示解像度を含むスペック情報を基に変換した変換ビデオコンテンツを生成する手段と、
生成した前記変換ビデオコンテンツを提示する手段とを、
備えることを特徴とするコンテンツ提示装置。
【発明の詳細な説明】
【技術分野】
【０００１】
本発明は、複数のコンテンツを組み合わせて仮想的なコンテンツを作成して再生するコンテンツ伝送制御システム、コンテンツ再生装置、コンテンツ提示装置及びコンテンツ伝送制御装置に関する。
【背景技術】
【０００２】
ホームネットワークに接続され、サーバの役割を果たす記憶媒体装置に録画されているコンテンツを、同じネットワークに接続されているモニタ上からアクセスして再生・視聴することが可能なネットワークシステムが、ＤＬＮＡ（Digital Living Network Alliance）などで規格化されている。
【０００３】
一方、レコーダに録画されたコンテンツとして、下記の非特許文献１に示されるDVD-RE規格でのプレイリストや、下記の非特許文献２に示されるBlue-ray RE規格でのバーチャルプレイリストなどは、実際のコンテンツには手を加えずにコンテンツ番号や再生開始時間、再生終了時間などの情報だけを組み合わせて持つだけの仮想的なコンテンツであり、ユーザは１つの実際のコンテンツからコマーシャルの部分だけを除いた仮想的なコンテンツを作成したり、複数の実際のコンテンツから好きな場面だけを抜き出してつなぎ合わせた仮想的なコンテンツを作成したりすることができる。
【０００４】
それぞれの規格のプレイヤは、この仮想的なコンテンツの情報と実際のコンテンツとを照らし合わせながら再生を行うことにより、実際のコンテンツを編集したのと同じ再生ができるように規定されている。また、他の従来技術として、下記の特許文献１には、複数のチューナによりそれぞれ受信した各コンテンツを１つのディスク上に並行録画し、これらを後で仮想ファイルとして１つのファイルに結合するような手法が提案されている。
【非特許文献１】DVD-RE規格書
【非特許文献２】Blu-ray RE規格書「Blu-ray Disc（登録商標）ReWitable Format」
【特許文献１】特開２００６−４５７２号公報（要約書）
【発明の開示】
【発明が解決しようとする課題】
【０００５】
しかしながら、従来の方法では、複数のレコーダや記憶媒体が接続されているネットワークシステムで、同じネットワーク上に存在する別の記憶媒体に記録されている複数のコンテンツについては、それらが同じネットワーク上に存在することを認識できても、別のレコーダや記憶媒体に記録されているコンテンツ同士を組み合わせて仮想的なコンテンツを作成し、それを、携帯電話、携帯端末の解像度や伝送速度などの仕様（スペック）が異なるモニタなどで再生することができないという課題があった。
【０００６】
本発明は上記従来技術の問題点に鑑み、ネットワーク上の複数のレコーダや記憶媒体にそれぞれ記録されている各コンテンツ同士を組み合わせて仮想的なコンテンツを作成して、携帯電話、携帯端末の解像度や伝送速度などの仕様が異なるモニタなどで再生することができるコンテンツ伝送制御システム、コンテンツ再生装置、コンテンツ提示装置及びコンテンツ伝送制御装置を提供することを目的とする。
【課題を解決するための手段】
【０００７】
本発明は上記目的を達成するために、記憶されているビデオコンテンツを再生する複数のコンテンツ再生装置と、前記複数のコンテンツ再生装置に記憶されている各前記ビデオコンテンツの再生区間及び再生順序を編集するコンテンツアクセス装置と、前記各ビデオコンテンツの再生制御情報を生成するコンテンツサーバ装置と、前記各ビデオコンテンツを変換した変換ビデオコンテンツを生成するコンテンツ伝送制御装置とがネットワークを介して接続されるコンテンツ伝送制御システムであって、
前記コンテンツサーバ装置は、
前記複数のコンテンツ再生装置の各々から送信される、前記複数のコンテンツ再生装置の各々が記憶している前記ビデオコンテンツの識別子及び再生時間情報を含むコンテンツ管理情報を受信し記憶する手段と、
記憶した前記コンテンツ管理情報を前記コンテンツアクセス装置へ送信する手段と、
前記コンテンツアクセス装置が前記コンテンツ管理情報に基づいて作成し送信した編集情報を受信する手段と、
受信した前記編集情報に基づいて、前記複数のコンテンツ再生装置が各々記憶している各ビデオコンテンツを順次再生させるための前記再生制御情報を生成する手段と、
生成した前記再生制御情報を、前記各コンテンツ再生装置に送信する手段とを、
備える装置であり、
前記コンテンツアクセス装置は、
前記コンテンツサーバ装置から送信される前記コンテンツ管理情報に基づいて、前記複数のコンテンツ再生装置の各々に記憶されている前記各ビデオコンテンツの識別子、再生区間及び再生順序を含む前記編集情報を生成する手段と、
生成した前記編集情報を前記コンテンツサーバ装置に送信する手段とを、
備える装置であり、
前記コンテンツ再生装置は、
前記コンテンツ管理情報を前記コンテンツサーバ装置へ送信する手段と、
前記コンテンツサーバ装置から前記再生制御情報を受信する手段と、
受信した前記再生制御情報に基づいて、本装置が記憶しているビデオコンテンツを再生する手段と、
再生した前記ビデオコンテンツを前記コンテンツ伝送制御装置に送信する手段とを、
備える装置であり、
前記コンテンツ伝送制御装置は、
前記ビデオコンテンツを提示するためのコンテンツ提示装置から、このコンテンツ提示装置が有するビデオコンテンツの伝送速度及び表示解像度を含むスペック情報を受信する手段と、
前記コンテンツ再生装置から送信された前記ビデオコンテンツを受信する手段と、
受信した前記ビデオコンテンツを前記スペック情報に基づいて変換した変換ビデオコンテンツを生成する手段と、
生成した前記変換ビデオコンテンツを前記コンテンツ提示装置に送信する手段とを、
備える装置である、
ことを特徴とする。
【０００８】
また本発明は上記目的を達成するために、記憶されているビデオコンテンツを再生する複数のコンテンツ再生装置と、前記複数のコンテンツ再生装置に記憶されている各前記ビデオコンテンツの再生区間及び再生順序を編集するコンテンツアクセス装置と、前記各ビデオコンテンツの再生制御情報を生成するコンテンツサーバ装置とにネットワークを介して接続されるコンテンツ伝送制御装置であって、
前記ビデオコンテンツを提示するためのコンテンツ提示装置から、このコンテンツ提示装置が有するコンテンツデータの伝送速度及び表示解像度を含むスペック情報を受信する手段と、
前記コンテンツ再生装置から送信された前記ビデオコンテンツを受信する手段と、
受信した前記ビデオコンテンツを前記スペック情報に基づいて変換した変換ビデオコンテンツを生成する手段と、
生成した前記変換ビデオコンテンツを前記コンテンツ提示装置に送信する手段とを、
備えることを特徴とする。
【０００９】
また本発明は上記目的を達成するために、外部装置に記憶されている各ビデオコンテンツの再生区間及び再生順序を編集するコンテンツアクセス装置と、前記各ビデオコンテンツの再生制御情報を生成するコンテンツサーバ装置とにネットワークを介して接続され、記憶されているビデオコンテンツを再生するコンテンツ再生装置であって、
前記コンテンツサーバ装置から前記再生制御情報を受信する手段と、
受信した前記再生制御情報に基づいて、本装置が記憶しているビデオコンテンツを再生する手段と、
前記ビデオコンテンツを提示するためのコンテンツ提示装置から、このコンテンツ提示装置が有するコンテンツデータの伝送速度及び表示解像度を含むスペック情報を受信する手段と、
再生した前記ビデオコンテンツを前記スペック情報に基づいて変換した変換ビデオコンテンツを生成する手段と、
生成した前記変換ビデオコンテンツを前記コンテンツ提示装置に送信する手段とを、
備えることを特徴とする。
【００１０】
また本発明は上記目的を達成するために、記憶されているビデオコンテンツを再生する複数のコンテンツ再生装置と、前記複数のコンテンツ再生装置に記憶されている各前記ビデオコンテンツの再生区間及び再生順序を編集するコンテンツアクセス装置と、前記各ビデオコンテンツの再生制御情報を生成するコンテンツサーバ装置とにネットワークを介して接続されるコンテンツ提示装置であって、
前記コンテンツ再生装置から送信された前記ビデオコンテンツを受信する手段と、
受信した前記ビデオコンテンツを、本装置が有するビデオコンテンツの伝送速度及び表示解像度を含むスペック情報を基に変換した変換ビデオコンテンツを生成する手段と、
生成した前記変換ビデオコンテンツを提示する手段とを、
備えることを特徴とする。
【発明の効果】
【００１１】
本発明によれば、ネットワーク上の複数のレコーダや記憶媒体にそれぞれ記録されている各コンテンツ同士を組み合わせて仮想的なコンテンツを作成して、携帯電話、携帯端末の解像度や伝送速度などの仕様が異なるモニタなどで再生することができる。
【００１２】
このため、ネットワークで接続された複数の録画装置に録画されているコンテンツを認識できる環境において、別々の録画装置に録画されているコンテンツの識別情報や再生区間情報や再生順序情報をネットワーク上で通信させることで、ネットワーク上のいずれかの装置にそれらの情報を組み合わせた仮想コンテンツとして保存することにより、ユーザがネットワークに接続されている録画装置や記憶装置の位置を意識することなく、スタンドアロンの録画装置上に録画されているコンテンツを組み合わせて仮想コンテンツを作成するのと同様の操作で録画装置をまたがるコンテンツ同士の仮想コンテンツを作成できるという効果が得られる。
【００１３】
例えば、シリーズ物などのコンテンツで、１回の番組のあるコーナーだけをつなげた仮想コンテンツを作成したい場合など、本来１つのＨＤＤレコーダにまとめて録画しておきたいが、容量の関係で２つ以上のＨＤＤレコーダに同じシリーズの番組が録画されていても、ユーザは１つのＨＤＤレコーダにあるコンテンツから仮想コンテンツを作成するのと同じ操作で複数のＨＤＤレコーダに記録されているコンテンツから１つの仮想コンテンツを作成でき、１つのＨＤＤレコーダにある仮想コンテンツを再生するのと同じ操作で再生できる。
【発明を実施するための最良の形態】
【００１４】
以下、図面を参照して本発明の実施の形態について説明する。
【００１５】
＜第１の実施の形態＞
図１は本発明に係る仮想コンテンツ作成再生システムの第１の実施の形態の構成及び通信シーケンスを示す説明図、図２、図３、図４、図５はそれぞれ、図１のコンテンツ記憶再生装置、コンテンツサーバ装置、コンテンツアクセス装置、コンテンツ提示装置を詳しく示すブロック図である。図１に示す仮想コンテンツ作成再生システムでは、機器間ネットワーク６００に、２台のコンテンツ記憶再生装置１００、１１０と、１台のコンテンツサーバ装置２００と、１台のコンテンツアクセス装置３００と、１台のコンテンツ提示装置４００とが接続されている。
【００１６】
コンテンツ記憶再生装置１００、１１０は構成が同じであり、図２に詳しく示すように、通信手段１０１と、放送番組などの少なくともビデオデータを含むコンテンツとそのコンテンツ管理情報を記憶し、記憶したコンテンツの指定区間を再生可能なコンテンツ記憶手段１０２と、コンテンツ再生手段１０３と、コンテンツ伝送制御手段１０４を有する。
【００１７】
図１では、コンテンツ記憶再生装置１００のコンテンツ記憶手段１０２には、コンテンツ番号＝００１のコンテンツのストリーム（以下、コンテンツとも言う）１１ａ及びその管理情報であるコンテンツ情報１１ｂと、コンテンツ番号＝００２のコンテンツのストリーム１２ａ及びその管理情報であるコンテンツ情報１２ｂが記憶され、コンテンツ記憶再生装置１１０のコンテンツ記憶手段１０２には、コンテンツ番号＝００１のコンテンツのストリーム１３ａ及びその管理情報であるコンテンツ情報１３ｂが記憶されている。管理情報であるコンテンツ情報１１ｂ、１２ｂ、１３ｂは、コンテンツ番号と、コンテンツ内容と合計時間を含む。コンテンツ伝送制御手段１０４は、コンテンツ記憶手段１０２に記憶されているコンテンツをコンテンツ提示装置４００に転送する際、転送コンテンツの解像度や伝送速度などの仕様（スペック）をコンテンツ提示装置４００に合うように変換して転送する。
【００１８】
ここで、図２に示す経路Ｉ１０１、Ｐ１０１〜Ｐ１０７は、以下の通りである。
・Ｉ１０１：機器間ネットワーク６００に対する信号入力及び、信号・コンテンツ出力
・Ｐ１０１：通信手段１０１から、コンテンツ記憶手段１０２に記憶されているコンテンツに関する情報を要求する経路
・Ｐ１０２：コンテンツ記憶手段１０２が通信手段１０１からの要求に対し、コンテンツに関する情報を通知するための経路
・Ｐ１０３：コンテンツ再生手段１０３がコンテンツ記憶手段１０２に対し、再生の指定をされたコンテンツにアクセスする経路
・Ｐ１０４：通信手段１０１がコンテンツサーバ装置２００からコンテンツ再生要求信号を受信したときにコンテンツ再生手段１０３を呼び出す経路
・Ｐ１０５：コンテンツ再生手段１０３が、再生したコンテンツのストリームを機器間ネットワーク６００に流すために通信手段１０１を呼び出す経路
・Ｐ１０６：コンテンツ再生手段１０３からコンテンツ記憶手段１０２にコンテンツ再生要求があった場合に、必要に応じて指定されたコンテンツ提示装置の最適な解像度と伝送速度にコンテンツを変換するためにコンテンツ伝送制御手段１０４にアクセスする経路
・Ｐ１０７：コンテンツ伝送制御手段１０４が、変換したコンテンツのストリームを機器間ネットワーク６００に流すために通信手段１０１を呼び出す経路
【００１９】
コンテンツサーバ装置２００は図３に詳しく示すように、通信手段２０１と、装置管理手段２０２と、コンテンツ情報取得手段２０３と、コンテンツ再生要求手段２０４と、コンテンツ情報記憶手段２０５と仮想コンテンツ作成手段２０６を有する。図１では、コンテンツ情報記憶手段２０５には、コンテンツの管理情報であるコンテンツ情報２１（２１ａ、２１ｂ、２１ｃ）と、コンテンツ編集情報２２（２２ａ、２２ｂ、２２ｃ）と仮想コンテンツ２３（情報２３ａ、２３ｂ、２３ｃ、２３ｄ）が記憶されている。コンテンツ情報２１ａ、２１ｂ、２１ｃはそれぞれコンテンツ記憶再生装置１００、１１０のコンテンツ情報１１ｂ、１２ｂ、１３ｂに対応し、装置番号と、コンテンツ番号と合計時間を含む。コンテンツ編集情報２２ａ、２２ｂ、２２ｃはそれぞれコンテンツ情報２１ａ、２１ｂ、２１ｃに対応し、装置番号と、コンテンツ番号と、再生順と、開始時間と終了時間を含む。仮想コンテンツ２３の情報２３ａは仮想コンテンツ番号と合計時間を含むヘッダであり、情報２３ｂ、２３ｃ、２３ｄはコンテンツ編集情報２２ａ、２２ｂ、２２ｃを再生順に並べ替えた再生制御情報である。
【００２０】
ここで、図３に示す経路Ｉ２０１、Ｐ２０１〜Ｐ２１３は、以下の通りである。
・Ｉ２０１：機器間ネットワーク６００に対する信号入力及び信号出力
・Ｐ２０１：通信手段２０１から装置管理手段２０２に対し、機器間ネットワーク６００上の本システムを構成する装置の装置管理番号を設定・取得するための経路
・Ｐ２０２：装置管理手段２０２が通信手段２０１からの要求に対し、機器間ネットワーク６００上の本システムを構成する装置の装置管理番号を通知するための経路
・Ｐ２０３：通信手段２０１で受信したコンテンツ再生要求信号に設定されているデータをコンテンツ再生要求手段２０４に転送する経路
・Ｐ２０４：コンテンツ再生要求手段２０４が、コンテンツ記憶再生装置１００、１１０に対して、指定のコンテンツを再生させるための要求信号を送信するために通信手段２０１を呼び出す経路
・Ｐ２０５：通信手段２０１が受信した信号に設定されているコンテンツ情報をコンテンツ情報記憶手段２０５に転送する経路
・Ｐ２０６：通信手段２０１で受信したコンテンツを編集するためのデータが設定されている信号を、仮想コンテンツを作成するために仮想コンテンツ作成手段２０６に転送する経路
・Ｐ２０７：コンテンツ情報取得手段２０３が、機器間ネットワーク６００に接続されているコンテンツ記憶再生装置１００、１１０に記憶されているコンテンツ情報を取得してコンテンツ情報記憶手段２０５に記憶させるための経路
・Ｐ２０９：コンテンツ情報取得手段２０３が、機器間ネットワーク６００に接続されているコンテンツ記憶再生装置１００、１１０にコンテンツ情報を取得する信号を送信するために通信手段２０１に転送する経路
・Ｐ２１０：コンテンツ情報取得手段２０３が、コンテンツ記憶再生装置１００、１１０からコンテンツ情報を取得する信号を送信するのに必要な装置の識別子を取得するために装置管理手段２０２に転送する経路
・Ｐ２１１：コンテンツ再生要求手段２０４がコンテンツ情報記憶手段２０５から、再生するコンテンツ情報を取得するための経路
・Ｐ２１２：仮想コンテンツ作成手段２０６が仮想コンテンツ作成時に、基となるコンテンツ編集情報をコンテンツ情報記憶手段２０５から取得するための経路
・Ｐ２１３：コンテンツ提示装置４００の識別番号が装置管理手段２０２に設定されていることをコンテンツ再生要求手段２０４が確認する経路
【００２１】
コンテンツアクセス装置３００は図４に詳しく示すように、通信手段３０１と、コンテンツ情報記憶手段３０２と、コンテンツ提示手段３０３と、仮想コンテンツ再生要求手段３０４とコンテンツ編集手段３０５を有する。ここで、図４に示す経路Ｉ３０１〜Ｉ３０４、Ｐ３０１〜Ｐ３０６は、以下の通りである。
・Ｉ３０１：機器間ネットワーク６００に対する信号入力及び信号出力
・Ｉ３０２：ユーザが仮想コンテンツを再生するための操作入力
・Ｉ３０３：ユーザが仮想コンテンツを編集するための操作入力
・Ｉ３０４：ユーザにコンテンツ情報を提示するための出力
・Ｐ３０１：通信手段３０１からコンテンツ情報記憶手段３０２に、コンテンツ情報を設定・取得するための経路
・Ｐ３０２：通信手段３０１からの要求に対し、コンテンツ情報記憶手段３０２がコンテンツ情報を通知するための経路
・Ｐ３０３：コンテンツ情報記憶手段３０２が、新たに編集された仮想コンテンツをコンテンツ提示手段３０３に通知する経路
・Ｐ３０４：仮想コンテンツ再生要求手段３０４が通信手段３０１を経由して、コンテンツ記憶再生装置１００、１１０に対して、指定のコンテンツ区間を再生する信号を送信するための経路
・Ｐ３０５：コンテンツ編集手段３０５が通信手段３０１を経由して、ユーザにより編集されたコンテンツ編集情報を設定した信号を送信するための経路
・Ｐ３０６：コンテンツ編集手段３０５が、ユーザにより編集されたコンテンツ編集情報をコンテンツ情報記憶手段３０２に通知する経路
【００２２】
コンテンツ提示装置４００は図５に詳しく示すように、通信手段４０１と、コンテンツ選択手段４０２と、コンテンツ提示手段４０３と、提示スペック通信手段４０４を有する。ここで、図５に示す経路Ｉ４０１、Ｉ４０２、Ｐ４０１〜Ｐ４０３は、以下の通りである。
・Ｉ４０１：機器間ネットワーク６００に対する信号入力及び信号出力
・Ｉ４０２：ユーザに、再生されたコンテンツを提示するための出力
・Ｐ４０１：コンテンツサーバ装置２００が流した再生コンテンツを提示する装置を指定する信号を受信した通信手段４０１が、自装置あてかどうかをコンテンツ選択手段４０２に確認する経路
・Ｐ４０２：通信手段４０１が受信した再生コンテンツをコンテンツ提示手段４０３に転送する経路
・Ｐ４０３：本コンテンツ提示装置の提示スペックの取得要求があったときに通信手段４０１が提示スペック通信手段４０４を呼び出す経路
【００２３】
次に上記実施の形態の動作と図１に示す装置１００、１１０、２００、３００、４００間の通信手順（１）〜（１８）を詳しく説明する。なお、図１に示す丸付き数字は、本明細書では括弧付き数字（１）〜（１８）で示す。
（１）（３）コンテンツサーバ装置２００では、電源が投入された後、装置管理手段２０２から通信手段２０１を介して（図３のＰ２０２→Ｉ２０１）、機器間ネットワーク６００に接続されている接続機器があるかどうかの確認を要求する信号（接続機器確認要求信号）を送信する。次いで、コンテンツサーバ装置２００では、現在、機器間ネットワーク６００に接続されているコンテンツ記憶再生装置１００、１１０と、コンテンツアクセス装置３００と、コンテンツ提示装置４００の各通信手段１０１、３０１、４０１が送信した接続機器の確認応答（接続機器確認応答信号）を通信手段２０１で受信して（図３のＩ２０１）、それを装置管理手段２０２に転送して管理する（図３のＰ２０１）。
そして、コンテンツ情報取得手段２０３が装置管理手段２０２にアクセスすることにより（図３のＰ２１０）、現在、機器間ネットワーク６００に接続されているコンテンツ記憶再生装置１００、１１０の識別番号（＝１００、１１０）を取得し、その該当のコンテンツ記憶再生装置１００、１１０に対して、記憶しているコンテンツ情報１１ｂ、１２ｂ、１３ｂを取得するための信号（コンテンツ情報要求信号）を、通信手段２０１を介して機器間ネットワーク６００に送信する（図３のＰ２０９→Ｉ２０１）。
【００２４】
（２）（４）コンテンツ記憶再生装置１００及び１１０は、通信手段１０１で「コンテンツ情報要求信号」を受信し（図２のＩ１０１）、コンテンツ記憶手段１０２にアクセスすることにより、記憶されているすべてのコンテンツのコンテンツ情報１１ｂ、１２ｂ、１３ｂ（コンテンツ記憶再生装置番号を含む）を信号（コンテンツ情報応答信号）に設定してコンテンツサーバ装置２００に送信する（図２のＰ１０１→Ｐ１０２→Ｉ１０１）。コンテンツサーバ装置２００は、「コンテンツ情報応答信号」を通信手段２０１で受信し（図３のＩ２０１）、「コンテンツ情報応答信号」に設定されているコンテンツ情報１１ｂ、１２ｂ、１３ｂ（コンテンツ記憶再生装置番号を含む）をそれぞれコンテンツ情報２１ａ、２１ｂ、２１ｃとしてコンテンツ情報記憶手段２０５に記憶する（図３のＰ２０５）。
【００２５】
（５）ユーザからコンテンツアクセス装置３００のコンテンツ編集手段３０５に対して、コンテンツ取得操作がされると（図４のＩ３０３）、通信手段３０１を介して、コンテンツサーバ装置２００に対してコンテンツ情報２１を取得するための信号（コンテンツ情報取得要求信号）を送信する（図４のＰ３０５→Ｉ３０１）。
（６）コンテンツサーバ装置２００は、通信手段２０１でコンテンツアクセス装置３００からの「コンテンツ情報取得要求信号」を受信すると、コンテンツ情報記憶手段２０５に記憶されているすべてのコンテンツ情報２１と、機器間ネットワーク６００に接続されているすべてのコンテンツ提示装置４００の装置識別番号（＝４００）が設定された信号（コンテンツ情報取得応答信号）をコンテンツアクセス装置３００に送信する（図３のＩ２０１→Ｐ２０６→Ｐ２０５→Ｉ２０１）。
【００２６】
（７）コンテンツアクセス装置３００は、コンテンツサーバ装置２００からの「コンテンツ情報取得応答信号」を通信手段３０１で受信し、「コンテンツ情報取得応答信号」に設定されているコンテンツ情報２１（コンテンツ記憶装置番号、コンテンツ番号、コンテンツの合計時間を含む）とコンテンツ提示装置４００の識別番号（＝４００）をコンテンツ情報記憶手段３０２に記憶し、コンテンツ提示手段３０３でユーザに分かりやすい形態に加工したコンテンツ情報３１ａ、３１ｂ、３１ｃを提示する（図４のＩ３０１→Ｐ３０１→Ｐ３０３→Ｉ３０４）。
【００２７】
一例としてユーザにより、コンテンツ提示手段３０３に提示されている、機器間ネットワーク６００上に存在するすべてのコンテンツ情報２１から、
・コンテンツ記憶再生装置１００に記憶されているコンテンツ１２ａ（コンテンツ番号：００２、コンテンツ内容：旅行、合計時間：１ｈ２３ｍ４５ｓ）の内、０ｈ４８ｍ３６ｓ〜１ｈ１３ｍ１５ｓの部分
・コンテンツ記憶再生装置１１０に記憶されているコンテンツ１３ａ（コンテンツ番号：＝００１、コンテンツ内容：運動、合計時間：２ｈ３４ｍ５６ｓ）の内、１ｈ０７ｍ３８ｓ〜２ｈ２７ｍ０９ｓの部分
・コンテンツ記憶再生装置１００に記憶されているコンテンツ１１ａ（コンテンツ番号：＝００１、コンテンツ内容：料理、合計時間：０ｈ５５ｍ３０ｓ）の内、０ｈ１８ｍ１
９ｓ〜０ｈ３１ｍ２２ｓの部分
をつなげた仮想コンテンツを作成する操作がされると、コンテンツ情報記憶手段３０２に記憶されているコンテンツ情報２１を基に編集情報が作成され（図４のＩ３０３→Ｐ３０６）、コンテンツ提示手段３０３に仮想コンテンツ３２として反映され、ユーザに提示される（図４のＰ３０３→Ｉ３０４）。
【００２８】
（８）ユーザがコンテンツ提示手段３０３に提示されている編集情報３３を見て、コンテンツ編集手段３０５に対して、「仮想コンテンツ作成終了」の操作を実行すると（図４のＩ３０３）、コンテンツ編集手段３０５はコンテンツ情報記憶手段３０２から編集情報を取得して（図４のＰ３０６）、編集されたコンテンツ情報が設定された信号（コンテンツ情報通知信号）を作成し、通信手段３０１を介してコンテンツサーバ装置２００に送信する（図４のＰ３０５→Ｉ３０１）。
（９）コンテンツサーバ装置２００は、「コンテンツ情報通知信号」を通信手段２０１で受信すると、設定されている「コンテンツ編集情報」をコンテンツ編集情報２２（２２ａ、２２ｂ、２２ｃ）としてコンテンツ情報記憶手段２０５に記憶させ（図３のＩ２０１→Ｐ２０５）、仮想コンテンツ作成手段２０６を起動して、コンテンツ情報記憶手段２０５にあらかじめ記憶されているコンテンツ情報２１と、受信したコンテンツ編集情報２２から、図１に示すように新たに識別番号＝７０１、合計時間＝１ｈ５７ｍ１３ｓ、装置番号、各コンテンツの番号及び再生部分の開示時間、終了時間が付与された仮想コンテンツ２３を作成し、これをコンテンツ情報記憶手段２０５に記憶する（図３のＰ２０６→Ｐ２１２）。
【００２９】
（１０）コンテンツサーバ装置２００の仮想コンテンツ作成手段２０６は、通信手段２０１を介して識別番号＝７０１の仮想コンテンツ２３のデータを設定した信号（仮想コンテンツデータ通知信号）をコンテンツアクセス装置３００に対して送信する（図３のＰ２０６→Ｉ２０１）。コンテンツアクセス装置３００は、通信手段３０１で「仮想コンテンツデータ通知信号」を受信し、設定されている仮想コンテンツ２３をコンテンツ情報記憶手段３０２に記憶させる（図４のＩ３０１→Ｐ３０１）。
（１１）ユーザにより、コンテンツアクセス装置３００のコンテンツ提示手段３０３で提示されている仮想コンテンツ３２とコンテンツ提示装置４００が仮想コンテンツ再生要求手段３０４から再生要求されると（図４のＩ３０２）、仮想コンテンツ３２の識別番号とコンテンツ提示装置４００の識別番号＝４００が設定された再生要求信号（仮想コンテンツ再生要求信号）が通信手段３０１を介してコンテンツサーバ装置２００に送信される（図４のＰ３０４→Ｉ３０１）。
【００３０】
（１２）コンテンツサーバ装置２００は、通信手段２０１で受信してコンテンツ再生要求手段２０４に転送（図３のＩ２０１→Ｐ２０３）された「仮想コンテンツ再生要求信号」に設定してあるコンテンツ提示装置４００の識別番号＝４００が装置管理手段２０２に設定されていることを確認し（図３のＰ２１３）、機器間ネットワーク６００上に流されるコンテンツをコンテンツ提示装置４００が受信することを要求する信号（コンテンツ提示要求信号）を送信する（図３のＰ２０４→Ｉ２０１）。コンテンツ提示装置４００は、「コンテンツ提示要求信号」を通信手段４０１で受信し、「コンテンツ提示要求信号」が自装置あてであることをコンテンツ選択手段４０２で確認すると（図５のＩ４０１→Ｐ４０１）、通信手段４０１は、再生されるコンテンツを受信してコンテンツ提示手段４０３に転送するための準備をする。
【００３１】
（１３）（１４）コンテンツサーバ装置２００は、通信手段２０１で受信してコンテンツ再生要求手段２０４に転送（図３のＩ２０１→Ｐ２０３）された「仮想コンテンツ再生要求信号」に設定してある仮想コンテンツ２３の識別番号＝７０１がコンテンツ情報記憶手段２０５に設定されていることを確認すると（図３のＰ２１１）、その仮想コンテンツ２３の情報に従い下記の順序でコンテンツ記憶再生装置１００又は１１０にコンテンツの再生開始を要求する信号（コンテンツ再生開始要求信号）とコンテンツの再生終了を要求する信号（コンテンツ再生終了要求信号）を送信する。
・コンテンツ記憶再生装置１００にコンテンツ番号＝００２の０ｈ４８ｍ３６ｓから再生開始
・２４ｍ３９ｓ後、コンテンツ記憶再生装置１００にコンテンツ番号＝００２の停止要求（コンテンツ記憶再生装置１００：コンテンツ番号＝００２の１ｈ１３ｍ１５ｓの箇所で終了）
・同時にコンテンツ記憶再生装置１１０にコンテンツ番号＝００１の１ｈ０７ｍ３８ｓから再生開始
・１ｈ１９ｍ３１ｓ後、コンテンツ記憶再生装置１１０にコンテンツ番号＝００１の停止要求（コンテンツ記憶再生装置１１０：コンテンツ番号＝００１の２ｈ２７ｍ０９ｓの箇所で終了）
・同時にコンテンツ記憶再生装置１００にコンテンツ番号＝００１の０ｈ１８ｍ１９ｓから再生開始
・１３ｍ０３ｓ後、コンテンツ記憶再生装置１００にコンテンツ番号＝００１の停止要求（コンテンツ記憶再生装置１００：コンテンツ番号＝００１の０ｈ３１ｍ２２ｓの箇所で終了）
【００３２】
（１５）（１６）コンテンツ記憶再生装置１００及び１１０は、通信手段１０１で受信した「コンテンツ再生開始要求信号」をコンテンツ伝送制御手段１０４に転送し（図２のＩ１０１→Ｐ１０７）、コンテンツ伝送制御手段１０４では、コンテンツ提示装置４００の最適提示スペックを取得するための信号「提示スペック取得要求信号」を作成し、通信手段１０１を介して機器間ネットワーク６００に送出する（図２のＰ１０７→Ｉ１０１）。コンテンツ提示装置４００は、通信手段４０１で「提示スペック取得要求信号」を受信すると提示スペック通信手段４０４に転送し（図５のＩ４０１→Ｐ４０３）、提示スペック通信手段４０４でコンテンツ提示装置４００での提示可能な最適の画像解像度と伝送速度を設定した「提示スペック取得応答信号」を作成し、通信手段４０１を介して機器間ネットワーク６００に送出する（図５のＩ４０１）。
【００３３】
（１７）（１８）コンテンツ記憶再生装置１００及び１１０は、通信手段１０１で受信した「提示スペック取得応答信号」をコンテンツ伝送制御手段１０４に転送し、コンテンツ提示装置４００の提示スペックを記憶する（図２のＩ１０１→Ｐ１０７）。コンテンツ記憶再生装置１００及び１１０の通信手段１０１は、受信した「コンテンツ再生終了要求信号」をコンテンツ再生手段１０３に転送し（図２のＩ１０１→Ｐ１０４）、「コンテンツ再生終了要求信号」に設定されているコンテンツ番号に該当するコンテンツ１１ａ、１２ａ、１３ａが記憶されていることをコンテンツ記憶手段１０２に確認する（図２のＰ１０３）。
【００３４】
コンテンツ記憶手段１０２は、コンテンツ提示装置４００で提示しようとするコンテンツ１１ａ、１２ａ、１３ａの提示スペックをコンテンツ伝送制御手段１０４に転送し、コンテンツ伝送制御手段１０４はこのコンテンツ１１ａ、１２ａ、１３ａがコンテンツ提示装置４００で提示しようとする提示スペックと合致しているかどうかを判定する。判定した結果、合致していなければコンテンツ伝送制御手段１０４でコンテンツ提示装置４００で最適な提示スペックに対応するようにコンテンツ１１ａ、１２ａ、１３ａを変換し、通信手段１０１を介して機器間ネットワーク６００に流す（図２のＰ１０６→Ｐ１０７→Ｉ１０１）。その後コンテンツ再生手段１０３は、現在再生中の該当するコンテンツ１１ａ、１２ａ、１３ａの再生を終了する。
【００３５】
コンテンツ提示装置４００は、機器間ネットワーク６００上を流れている、自装置の最適スペックに対応するように変換されたコンテンツ１１ａ、１２ａ、１３ａを通信手段４０１で受信し、コンテンツ提示手段４０３に転送することにより、ユーザが指定した仮想コンテンツ３２に沿った内容のコンテンツを連続的に提示できる（図５のＩ４０１→Ｐ４０２→Ｉ４０２）。
【００３６】
＜第２の実施の形態＞
図６は第２の実施の形態の仮想コンテンツ作成再生システムを示し、機器間ネットワーク６００に２台のコンテンツ記憶再生装置１００、１１０と、１台のコンテンツサーバ装置２００と、１台のコンテンツアクセス提示装置５００とが接続されている。コンテンツ記憶再生装置１００、１１０は第１の実施の形態と同じ構成であるが、コンテンツサーバ装置２００は、図２に示すコンテンツ伝送制御手段１０４を有しない場合もあることを想定している。コンテンツアクセス提示装置５００は図７に詳しく示すように、第１の実施の形態のコンテンツアクセス装置３００とコンテンツ提示装置４００を組み合わせた構成であり、通信手段５０１と、コンテンツ情報記憶手段５０２と、コンテンツ提示手段５０３と、仮想コンテンツ再生要求手段５０４と、コンテンツ編集手段５０５と、コンテンツ選択手段５０６を有し、さらにコンテンツ伝送制御手段５０７と提示スペック通信手段５０８を有する。
【００３７】
また、図７に示す経路を以下に説明する。
・Ｉ５０１：機器間ネットワーク６００に対する信号入力及び信号出力
・Ｉ５０２：ユーザが仮想コンテンツを再生するための操作入力
・Ｉ５０３：ユーザが仮想コンテンツを編集するための操作入力
・Ｉ５０４：ユーザにコンテンツ情報を提示するための出力
・Ｐ５０１：通信手段５０１からコンテンツ情報記憶手段５０２に、コンテンツ情報を設定・取得するための経路
・Ｐ５０２：通信手段５０１からの要求に対し、コンテンツ情報記憶手段５０２がコンテンツ情報を通知するための経路
・Ｐ５０３：コンテンツ情報記憶手段５０２が、新たに編集された仮想コンテンツをコンテンツ提示手段５０３に通知する経路
・Ｐ５０４：仮想コンテンツ再生要求手段５０４が、コンテンツ記憶再生装置１００、１１０に対して、指定のコンテンツ区間を再生する信号を送信するための経路
・Ｐ５０５：コンテンツ編集手段５０５が、ユーザにより編集されたコンテンツ編集情報を設定した信号を送信するための経路
・Ｐ５０６：コンテンツ編集手段５０５が、ユーザにより編集されたコンテンツ編集情報をコンテンツ情報記憶手段５０２に通知する経路
・Ｐ５０７：コンテンツサーバ装置２００が流した再生コンテンツを提示する装置を指定する信号を受信した通信手段５０１が、自装置あてかどうかをコンテンツ選択手段５０６に確認する経路
・Ｐ５０８：通信手段５０１が受信した再生コンテンツをコンテンツ提示手段５０３に転送する経路
・Ｐ５０９：通信手段５０１が、コンテンツ記憶再生装置１００、１１０からコンテンツ提示要求があったときに本コンテンツアクセス提示装置５００の最適な提示スペックに対応したコンテンツに変換するためにコンテンツ伝送制御手段５０７を呼び出す経路
・Ｐ５１０：コンテンツ伝送制御手段５０７が、本コンテンツアクセス提示装置５００の最適なスペックに対応したコンテンツを提示するためにコンテンツ提示手段５０３を呼び出す経路
・Ｐ５１１：本コンテンツアクセス提示装置５００の提示スペックの取得要求があったときに通信手段５０１が提示スペック通信手段５０８を呼び出す経路
【００３８】
次に図６における手順（１）〜（１４）を詳しく説明する。ここで、以下では、コンテンツ記憶再生装置１００が図２に示すコンテンツ伝送制御手段１０４を有しない場合について説明する。図６に示す丸付き数字は、本明細書では括弧付き数字（１）〜（１４）で示す（以下同様）。
（１）（３）コンテンツサーバ装置２００は、電源投入された後、装置管理手段２０２から通信手段２０１を介して（図３のＰ２０２→Ｉ２０１）、機器間ネットワーク６００に接続されている接続機器の確認要求をする信号（接続機器確認要求信号）を送信する。コンテンツサーバ装置２００は、現在、機器間ネットワーク６００に接続されているコンテンツ記憶再生装置１００、１１０と、コンテンツアクセス提示装置５００の各通信手段１０１、５０１が送信した接続機器の確認応答（接続機器確認応答信号）を通信手段２０１で受信し（図３のＩ２０１）、これを装置管理手段２０２に転送して管理する（図３のＰ２０１）。
【００３９】
コンテンツサーバ装置２００では、コンテンツ情報取得手段２０３が装置管理手段２０２にアクセスすることにより（図３のＰ２１０）、現在、機器間ネットワーク６００に接続されているコンテンツ記憶再生装置１００、１１０の識別番号（＝１００、１１０）を取得し、その該当のコンテンツ記憶再生装置１００、１１０に対して、記憶しているコンテンツ情報２１を取得するための信号（コンテンツ情報要求信号）を、通信手段２０１を介して機器間ネットワーク６００に送信する（図３のＰ２０９→Ｉ２０１）。
【００４０】
（２）（４）コンテンツ記憶再生装置１００及び１１０は、通信手段１０１で「コンテンツ情報要求信号」を受信し（図２のＩ１０１）、コンテンツ記憶手段１０２にアクセスすることにより、記憶されているすべてのコンテンツ１１ａ、１２ａ、１３ａのコンテンツ情報１１ｂ、１２ｂ、１３ｂ（コンテンツ記憶再生装置番号を含む）を信号（コンテンツ情報応答信号）に設定してコンテンツサーバ装置２００に送信する（図２のＰ１０１→Ｐ１０２→Ｉ１０１）。コンテンツサーバ装置２００は、「コンテンツ情報応答信号」を通信手段２０１で受信し（図３のＩ２０１）、「コンテンツ情報応答信号」に設定されているコンテンツ情報１１ｂ、１２ｂ、１３ｂ（コンテンツ記憶再生装置番号を含む）をコンテンツ情報２１（２１ａ、２１ｂ、２１ｃ）としてコンテンツ情報記憶手段２０５に記憶する（図３のＰ２０５）。
【００４１】
（５）コンテンツアクセス提示装置５００のコンテンツ編集手段５０５に対して、ユーザからコンテンツ取得操作がされると（図７のＩ５０３）、通信手段５０１を介して、コンテンツサーバ装置２００に対してコンテンツ情報２１を取得するための信号（コンテンツ情報取得要求信号）を送信する（図７のＰ５０５→Ｉ５０１）。
（６）コンテンツサーバ装置２００は、通信手段２０１でコンテンツアクセス提示装置５００からの「コンテンツ情報取得要求信号」を受信すると、コンテンツ情報記憶手段２０５に記憶されているすべてのコンテンツ情報２１と、機器間ネットワーク６００に接続されているすべてのコンテンツアクセス提示装置５００が設定された信号（コンテンツ情報取得応答信号）をコンテンツアクセス提示装置５００に送信する（図３のＩ２０１→Ｐ２０６→Ｐ２０５→Ｉ２０１）。
【００４２】
（７）コンテンツアクセス提示装置５００は、コンテンツサーバ装置２００からの「コンテンツ情報取得応答信号」を通信手段５０１で受信し、「コンテンツ情報取得応答信号」に設定されているコンテンツ情報２１（コンテンツ記憶再生装置番号を含む）とコンテンツアクセス提示装置５００の識別番号（＝５００）をコンテンツ情報記憶手段５０２に記憶し、コンテンツ提示手段５０３でユーザに分かりやすい形態に加工したコンテンツ情報３１ａ、３１ｂ、３１ｃをコンテンツ提示手段５０３に提示する（図７のＩ５０１→Ｐ５０１→Ｐ５０３→Ｉ５０４）。
【００４３】
一例としてユーザにより、コンテンツ提示手段５０３に提示されている、機器間ネットワーク６００上に存在するすべてのコンテンツ情報２１から、
・コンテンツ記憶再生装置１００に記憶されているコンテンツ１２ａ（コンテンツ番号：００２、コンテンツ内容：旅行、合計時間：１ｈ２３ｍ４５ｓ）の内、４８ｍ３６ｓ〜１ｈ１３ｍ１５ｓの部分
・コンテンツ記憶再生装置１１０に記憶されているコンテンツ１３ａ（コンテンツ番号：００１、コンテンツ内容：「運動」、合計時間：２ｈ３４ｍ５６ｓ）の内、１ｈ０７ｍ３８ｓ〜２ｈ２７ｍ０９ｓの部分
・コンテンツ記憶再生装置１００に記憶されているコンテンツ１１ａ（コンテンツ番号：００１、コンテンツ内容：料理、合計時間：０ｈ５５ｍ３０ｓ）の内、０ｈ１８ｍ１９ｓ〜０ｈ３１ｍ２２ｓの部分
をつなげた「仮想コンテンツ」を作成する操作がされると、コンテンツ情報記憶手段５０２に記憶されているコンテンツ情報２１を基に「仮想コンテンツ」用の編集情報が作成され（図７のＩ５０３→Ｐ５０６）、コンテンツ提示手段５０３に仮想コンテンツ３２として反映され、ユーザに提示される（図７のＰ５０３→Ｉ５０４）。
【００４４】
（８）ユーザがコンテンツ提示手段５０３に提示されているコンテンツ編集情報３３を見て、コンテンツ編集手段５０５に対して、「仮想コンテンツ作成終了」の操作を実行すると（図７のＩ５０３）、コンテンツ編集手段５０５はコンテンツ情報記憶手段５０２から編集情報を取得して（図７のＰ５０６）、編集されたコンテンツ情報が設定された信号（コンテンツ情報通知信号）を作成し、通信手段５０１を介してコンテンツサーバ装置２００に送信する（図７のＰ５０５→Ｉ５０１）。
（９）コンテンツサーバ装置２００は、「コンテンツ情報通知信号」を通信手段２０１で受信すると、設定されている「コンテンツ編集情報」をコンテンツ編集情報２２としてコンテンツ情報記憶手段２０５に記憶させ（図３のＩ２０１→Ｐ２０５）、仮想コンテンツ作成手段２０６を起動して、コンテンツ情報記憶手段２０５にあらかじめ記憶されているコンテンツ情報２１と受信したコンテンツ編集情報２２から、新たに識別番号＝７０１、合計時間＝１ｈ５７ｍ１３ｓという情報などが付与された仮想コンテンツ２３を作成し、コンテンツ情報記憶手段２０５に記憶する（図３のＰ２０６→Ｐ２１２）。
【００４５】
（１０）コンテンツサーバ装置２００の仮想コンテンツ作成手段２０６は、通信手段２０１を介して識別番号＝７０１の仮想コンテンツ２３のデータを設定した信号（仮想コンテンツデータ通知信号）をコンテンツアクセス提示装置５００に対して送信する（図３のＰ２０６→Ｉ２０１）。コンテンツアクセス提示装置５００は、通信手段５０１で「仮想コンテンツデータ通知信号」を受信し、設定されている仮想コンテンツ２３をコンテンツ情報記憶手段５０２に記憶させる（図７のＩ５０１→Ｐ５０１）。
（１１）コンテンツアクセス提示装置５００のコンテンツ提示手段５０３で提示されている仮想コンテンツ３２が、ユーザにより仮想コンテンツ再生要求手段５０４から再生要求されると（図７のＩ５０２）、仮想コンテンツ３２の識別番号が設定された再生要求信号（仮想コンテンツ再生要求信号）が通信手段５０１を介してコンテンツサーバ装置２００に送信される（図７のＰ５０４→Ｉ５０１）。
【００４６】
（１２）コンテンツサーバ装置２００は、通信手段２０１で受信してコンテンツ再生要求手段２０４に転送（図３のＩ２０１→Ｐ２０３）された「仮想コンテンツ再生要求信号」に設定してあるコンテンツアクセス提示装置５００の識別番号＝５００が装置管理手段２０２に設定されていることを確認し（図３のＰ２１３）、機器間ネットワーク６００上に流されるコンテンツをコンテンツアクセス提示装置５００が受信することを要求する信号（コンテンツ提示要求信号）を送信する（図３のＰ２０４→Ｉ２０１）。コンテンツアクセス提示装置５００は、「コンテンツ提示要求信号」を通信手段５０１で受信し、その信号が自装置あてであることをコンテンツ選択手段５０６で確認すると（図７のＩ５０１→Ｐ５０７）、通信手段５０１は、再生されるコンテンツをコンテンツ提示手段５０３に転送するための準備をする。
【００４７】
（１３）（１４）コンテンツサーバ装置２００は、通信手段２０１で受信してコンテンツ再生要求手段２０４に転送（図３のＩ２０１→Ｐ２０３）された「仮想コンテンツ再生要求信号」に設定してある仮想コンテンツ２３の識別番号＝７０１がコンテンツ情報記憶手段２０５に設定されていることを確認すると（図３のＰ２１１）、仮想コンテンツ２３の情報に従い下記の順序でコンテンツ記憶再生装置１００又は１１０に「コンテンツ再生開始要求信号」と「コンテンツ再生終了要求信号」を送信する。
・コンテンツ記憶再生装置１００にコンテンツ番号＝００２の０ｈ４８ｍ３６ｓから再生開始
・２４ｍ３９ｓ後、コンテンツ記憶再生装置１００にコンテンツ番号＝００２の停止要求（コンテンツ記憶再生装置１００：コンテンツ番号＝００２の１ｈ１３ｍ１５ｓの箇所で終了）
・同時にコンテンツ記憶再生装置１１０にコンテンツ番号＝００１の１ｈ０７ｍ３８ｓから再生開始
・１ｈ１９ｍ３１ｓ後、コンテンツ記憶再生装置１１０にコンテンツ番号＝００１の停止要求（コンテンツ記憶再生装置１１０：コンテンツ番号＝００１の２ｈ２７ｍ０９ｓの箇所で終了）
・同時にコンテンツ記憶再生装置１００にコンテンツ番号＝００１の０ｈ１８ｍ１９ｓから再生開始
・１３ｍ０３ｓ後、コンテンツ記憶再生装置１００にコンテンツ番号＝００１の停止要求（コンテンツ記憶再生装置１００：コンテンツ番号＝００１の０ｈ３１ｍ２２ｓの箇所で終了）
【００４８】
コンテンツ記憶再生装置１００及び１１０は、通信手段１０１で受信した「コンテンツ再生開始要求信号」をコンテンツ再生手段１０３に転送し（図２のＩ１０１→Ｐ１０４）、「コンテンツ再生開始要求信号」に設定されているコンテンツ識別番号に該当するコンテンツが記憶されていることをコンテンツ記憶手段１０２に確認する（図２のＰ１０３）。その後、コンテンツ再生手段１０３は、「コンテンツ再生開始要求信号」に設定されているコンテンツの再生開始時間に該当する箇所から再生を開始し、通信手段１０１を介して機器間ネットワーク６００上に、再生したコンテンツを流す（図２のＰ１０５→Ｉ１０１）。また、コンテンツ記憶再生装置１００及び１１０は、通信手段１０１で受信した「コンテンツ再生終了要求信号」をコンテンツ再生手段１０３に転送し（図２のＩ１０１→Ｐ１０４）、「コンテンツ再生終了要求信号」に設定されているコンテンツ識別番号に該当するコンテンツが記憶されていることをコンテンツ記憶手段１０２に確認する（図２のＰ１０３）。その後、コンテンツ再生手段１０３は、現在再生中の該当するコンテンツの再生を終了する。
【００４９】
コンテンツアクセス提示装置５００は、機器間ネットワーク６００上を流れている、再生されたコンテンツを通信手段５０１で受信すると、コンテンツ伝送制御手段５０７に転送する（図７のＩ５０１→Ｐ５０９）。コンテンツ伝送制御手段５０７は受信したコンテンツ１１ａ、１１ｂ、１１ｃを解析し、本コンテンツアクセス提示装置５００に最適なスペックに対応していない場合は本コンテンツアクセス提示装置５００に最適なスペックに対応するコンテンツに変換してコンテンツ提示手段５０３に転送し、最適なスペックでユーザにコンテンツを提示する（図５のＰ５１０→Ｉ５０４）。
【００５０】
＜第３の実施の形態＞
図８は第３の実施の形態の仮想コンテンツ作成再生システムを示し、機器間ネットワーク６００に２台のコンテンツ記憶再生装置１００、１１０と、１台のコンテンツサーバ装置２００と、１台のコンテンツアクセス装置３００と、１台のコンテンツ伝送制御装置８００とが接続されていて、コンテンツ伝送制御装置８００には携帯端末である１台のコンテンツ提示装置４００が無線通信網９００で接続されている。第３の実施の形態においても、コンテンツ記憶再生装置１００、１１０は第１の実施の形態と同じ構成であるが、コンテンツサーバ装置２００は、図２に示すコンテンツ伝送制御手段１０４を有しない場合もあることを想定している。コンテンツ伝送制御装置８００は図９に詳しく示すように、通信手段８０１と、提示装置管理手段８０２と、提示装置情報記憶手段８０３と、コンテンツ変換手段８０４と提示装置通信手段８０５を有する。
【００５１】
図９における経路を以下に説明する。
・Ｉ８０１：機器間ネットワーク６００に対する信号・コンテンツ入力及び信号出力
・Ｉ８０２：コンテンツ提示装置４００との通信とコンテンツ提示装置４００に対してコンテンツを送信
・Ｐ８０１：通信手段８０１から受信したコンテンツを出力するコンテンツ提示装置４００のスペックを解析するために提示装置管理手段８０２を呼び出す経路
・Ｐ８０２：指定されたコンテンツ提示装置４００のスペック情報を取得するために提示装置管理手段８０２が提示装置情報記憶手段８０３を呼び出す経路
・Ｐ８０３：指定されたコンテンツ提示装置４００での最適なモードにコンテンツを変換するために提示装置管理手段８０２がコンテンツ変換手段手段８０４を呼び出す経路
・Ｐ８０４：コンテンツを最適なスペックに変換するために通信手段８０１がコンテンツ変換手段８０４を呼び出す経路
・Ｐ８０５：コンテンツ変換手段８０４が変換したコンテンツをコンテンツ提示装置４００に送信するために提示装置通信手段８０５を呼び出す経路
・Ｐ８０６：提示装置通信手段８０５が新たなコンテンツ提示装置４００との接続を確立し、提示スペックを取得したことを通知するために通信手段８０１を呼び出す経路
・Ｐ８０７：提示装置通信手段８０５が接続を確立したコンテンツ提示装置４００の提示スペックを記憶させるために提示装置情報記憶手段８０３を呼び出す経路
・Ｐ８０８：提示装置通信手段８０５が接続を確立したコンテンツ提示装置４００の装置番号を提示装置管理手段８０２に通知するために呼び出す経路
【００５２】
次に第３の実施の形態の各装置の動作と通信シーケンスを説明する。
α：コンテンツ伝送制御装置８００は提示装置通信手段８０５で、コンテンツ提示装置４００の通信手段４０１が発する固有周波数の電波を無線通信網９００から受信すると、コンテンツ提示装置４００とのリンクを確立し、通信可能状態にする。以降、機器間ネットワーク６００に対するコンテンツ提示装置４００の通信は、コンテンツ伝送制御装置８００の提示装置通信手段８０５と通信手段８０１を通して行われる（図５のＩ４０１と図９のＩ８０２）。コンテンツ提示装置４００の通信手段４０１は、通信可能状態になると提示スペック通信手段４０４にアクセスし、コンテンツ提示装置４００の識別子と最適な提示スペックを設定した「提示スペック通知信号」を作成し、無線通信網９００に送信する（図５のＰ４０３→Ｉ４０１）。
【００５３】
β：コンテンツ伝送装置８００は通信手段８０１で受信した「提示スペック通知信号」を提示装置管理手段８０２に転送し、提示装置管理手段８０２は「提示スペック通知信号」を解析して、設定されているコンテンツ提示装置４００の識別子と最適スペックの情報を提示装置情報記憶手段８０３に記憶させる（図９のＩ８０１→Ｐ８０１→Ｐ８０２）。
【００５４】
（１）〜（１１）の処理及び通信シーケンスは、第１の実施の形態とほぼ同じであるが、コンテンツサーバ装置２００は、電源投入された後、装置管理手段２０２から通信手段２０１を介して（図３のＰ２０２→Ｉ２０１）、機器間ネットワーク６００に接続されている接続機器があるどうかの確認を要求する信号（接続機器確認要求信号）を送信する。コンテンツサーバ装置２００は、現在機器間ネットワーク６００に接続されているコンテンツ記憶再生装置１００、１１０と、コンテンツアクセス装置３００と、コンテンツ伝送制御装置８００と、コンテンツ伝送制御装置８００に無線接続された携帯端末であるコンテンツ提示装置４００の各通信手段１０１、３０１、８０１、４０１が送信した接続機器の確認応答（接続機器確認応答信号）を通信手段２０１で受信し（図３のＩ２０１）、これを装置管理手段２０２に転送して管理する（図３のＰ２０１）。
【００５５】
（１２）コンテンツサーバ装置２００は、通信手段２０１で受信してコンテンツ再生要求手段２０４に転送（図３のＩ２０１→Ｐ２０３）された「仮想コンテンツ再生要求信号」に設定してあるコンテンツ提示装置４００の識別番号＝４００が装置管理手段２０２に設定されていることを確認し（図３のＰ２１３）、機器間ネットワーク６００上に流されるコンテンツをコンテンツ提示装置４００で受信することを要求する信号（コンテンツ提示要求信号）を送信する（図３のＰ２０４→Ｉ２０１）。
【００５６】
コンテンツ伝送制御装置８００の通信手段８０１は、コンテンツ提示装置４００あての「コンテンツ提示要求信号」を受信すると、提示装置管理手段８０２に転送し、提示装置管理手段８０２は提示装置情報記憶手段８０３にコンテンツ提示装置４００の識別子と最適スペックが登録されていることを確認すると、提示装置管理手段８０２は、コンテンツ変換手段８０４にコンテンツ提示装置４００の最適な提示スペックを通知する（図９のＰ８０３）。並行して、提示装置通信手段８０５を介してコンテンツ提示装置４００に「コンテンツ提示要求信号」を転送する（図９のＩ８０１→Ｐ８０１→Ｐ８０２→Ｐ８０６→Ｉ８０２）。コンテンツ提示装置４００は、「コンテンツ提示要求信号」を通信手段４０１で受信し、その信号が自装置あてであることをコンテンツ選択手段４０２で確認すると（図５のＩ４０１→Ｐ４０１）、通信手段４０１はコンテンツを受信し、コンテンツ提示手段４０３に転送するための準備をする。
【００５７】
続く（１３）（１４）の処理及び通信シーケンスは第１の実施の形態と同じである。
（１５）コンテンツ伝送制御装置８００の通信手段８０１は、機器間ネットワーク６００から受信したコンテンツをコンテンツ変換手段８０４に転送すると、コンテンツ変換手段８０４はこれをコンテンツ提示装置４００での最適な提示スペックに対応するコンテンツに変換して提示装置通信手段８０５に転送し、提示装置通信手段８０５は、コンテンツ提示装置４００あてに無線通信網９００へコンテンツを送り出す（図９のＩ８０１→Ｐ８０４→Ｐ８０５→Ｉ８０２）。コンテンツ提示装置４００は、無線通信網９００上を流れているコンテンツを通信手段４０１で受信し、コンテンツ提示手段４０３に転送することにより、ユーザが指定した仮想コンテンツに沿った内容のコンテンツを最適なスペックで連続的に提示できる（図５のＩ４０１→Ｐ４０２→Ｉ４０２）。
【００５８】
＜第４の実施の形態＞
図１０に示す第４の実施の形態は、第２、第３の実施の形態を組み合わせたシステムを示し、機器間ネットワーク６００に２台のコンテンツ記憶再生装置１００、１１０と、１台のコンテンツサーバ装置２００と、１台のコンテンツ伝送制御装置８００とが接続されていて、コンテンツ伝送制御装置８００には、携帯端末である１台のコンテンツアクセス提示装置５００が無線で接続されている。コンテンツアクセス提示装置５００の構成は、第３の実施の形態のコンテンツアクセス装置３００とコンテンツ提示装置４００を組み合わせたもの（図７参照）であるので、動作及び通信シーケンスの説明は、コンテンツアクセス装置３００とコンテンツ提示装置４００をコンテンツアクセス提示装置５００に読み替えたものと同じであるため説明を省略する。
【図面の簡単な説明】
【００５９】
【図１】本発明に係る仮想コンテンツ作成再生システムの第１の実施の形態の構成及び通信シーケンスを示す説明図である。
【図２】図１のコンテンツ記憶再生装置を詳しく示すブロック図である。
【図３】図１のコンテンツサーバ装置を詳しく示すブロック図である。
【図４】図１のコンテンツアクセス装置を詳しく示すブロック図である。
【図５】図１のコンテンツ提示装置を詳しく示すブロック図である。
【図６】本発明に係る仮想コンテンツ作成再生システムの第２の実施の形態の構成及び通信シーケンスを示す説明図である。
【図７】図６のコンテンツアクセス提示装置を詳しく示すブロック図である。
【図８】本発明に係る仮想コンテンツ作成再生システムの第３の実施の形態の構成及び通信シーケンスを示す説明図である。
【図９】図８のコンテンツ伝送制御装置を詳しく示すブロック図である。
【図１０】本発明に係る仮想コンテンツ作成再生システムの第４の実施の形態の構成及び通信シーケンスを示す説明図である。
【符号の説明】
【００６０】
１００、１１０  コンテンツ記憶再生装置
１０１  コンテンツ記憶再生装置の通信手段
１０２  コンテンツ記憶再生装置のコンテンツ記憶手段
１０３  コンテンツ記憶再生装置のコンテンツ再生手段
１０４  コンテンツ記憶再生装置のコンテンツ伝送制御手段
２００  コンテンツサーバ装置
２０１  コンテンツサーバ装置の通信手段
２０２  コンテンツサーバ装置の装置管理手段
２０３  コンテンツサーバ装置のコンテンツ情報取得手段
２０４  コンテンツサーバ装置のコンテンツ再生要求手段
２０５  コンテンツサーバ装置のコンテンツ情報記憶手段
２０６  コンテンツサーバ装置の仮想コンテンツ作成手段
３００  コンテンツアクセス装置
３０１  コンテンツアクセス装置の通信手段
３０２  コンテンツアクセス装置のコンテンツ情報記憶手段
３０３  コンテンツアクセス装置のコンテンツ提示手段
３０４  コンテンツアクセス装置の仮想コンテンツ再生要求手段
３０５  コンテンツアクセス装置のコンテンツ編集手段
４００  コンテンツ提示装置
４０１  コンテンツ提示装置の通信手段
４０２  コンテンツ提示装置のコンテンツ選択手段
４０３  コンテンツ提示装置のコンテンツ提示手段
４０４  コンテンツ提示装置の提示スペック通信手段
５００  コンテンツアクセス提示装置
５０１  コンテンツアクセス提示装置の通信手段
５０２  コンテンツアクセス提示装置のコンテンツ情報記憶手段
５０３  コンテンツアクセス提示装置のコンテンツ提示手段
５０４  コンテンツアクセス提示装置の仮想コンテンツ再生要求手段
５０５  コンテンツアクセス提示装置のコンテンツ編集手段
５０６  コンテンツアクセス提示装置のコンテンツ選択手段
５０７  コンテンツアクセス提示装置のコンテンツ伝送制御手段
５０８  コンテンツアクセス提示装置の提示スペック通信手段
６００  機器間ネットワーク
８００  コンテンツ伝送制御装置
８０１  コンテンツ伝送制御装置の通信手段
８０２  コンテンツ伝送制御装置の提示装置管理手段
８０３  コンテンツ伝送制御装置の提示装置情報記憶手段
８０４  コンテンツ伝送制御装置のコンテンツ変換手段
８０５  コンテンツ伝送制御装置の提示装置通信手段
９００  無線通信網
【図１】
2008258678.tif 000003
【図２】
2008258678.tif 000004
【図３】
2008258678.tif 000005
【図４】
2008258678.tif 000006
【図５】
2008258678.tif 000007
【図６】
2008258678.tif 000008
【図７】
2008258678.tif 000009
【図８】
2008258678.tif 000010
【図９】
2008258678.tif 000011
【図１０】
2008258678.tif 000012